(57)【特許請求の範囲】
【請求項１】
発電室および側壁を有するハウジングと、前記ハウジングの前記発電室に設けられたエンジン式発電機または燃料電池で形成された発電源と、前記ハウジング内に設けられた換気ファンと、前記ハウジング内に設けられ前記発電室のガスを排気ガスとして前記ハウジング外に排出させる排気通路とを具備しており、
前記排気通路は、
前記発電室に連通すると共に曲走する吸音曲走通路を形成する吸音材料で形成された吸音ダクトと、前記吸音ダクトの下流に設けられた堰と、前記堰で形成された堰通路と、前記堰の下流に設けられ前記吸音曲走通路の出口開口から前記堰通路に向けて排気ガスが流れる流れ方向に対して交差する方向に排気ガスを方向変換させる方向変換通路と、前記方向変換通路の先端側に設けられ且つ外気に露出するように前記ハウジングの前記側壁に開口する排気口とを具備し、
前記排気通路のうち前記発電室に相対的に近い領域は親水性とされ、前記排気通路のうち前記排気口に相対的に近い領域は疎水性とされている屋外設置型発電装置。
【請求項２】
請求項１において、前記吸音ダクトを形成する吸音材料は、前記吸音曲走通路に露出する表面において親水性または撥水性を有する屋外設置型発電装置。
【請求項３】
請求項１または２において、前記方向変換通路は、前記排気ガスを重力方向の下方に流すように前記ハウジングの前記側壁の内壁面を用いて形成されている屋外設置型発電装置。
【請求項４】
請求項１〜３のうちの一項において、前記方向変換通路には、前記吸音材料で形成された吸音体が設けられており、前記吸音体は、前記方向変換通路に露出する表面において親水性または撥水性を有する屋外設置型発電装置。
【請求項５】
請求項１〜４のうちの一項において、前記方向変換通路は、前記ハウジングの前記側壁と、前記側壁に対面する方向変換部材とで形成されており、前記方向変換部材の重力方向の長さをＬＡとし、前記方向変換部材のうち前記側壁に直交する方向の長さをＤＡとするとき、ＬＡ／ＤＡは５〜１００の範囲内に設定されている屋外設置型発電装置。
【発明の詳細な説明】
【技術分野】
【０００１】
本発明は粉雪等の雪や雨水がハウジング内へ侵入することを防止する構造をもつ屋外設置型発電装置に関する。
【背景技術】
【０００２】
特許文献１は、外気導入通路を２ヵ所設け、1つはエンジン室の自然対流換気とし、他の1つはエンジン室強制冷却用とし、強制冷却用電動ファンの駆動部を冷却させ、モータの長寿命化を目的とした換気構造をもつコージェネレーション装置を開示する。特許文献２は、大型ファンを有するラジエータ冷却室に通じるようにエンジン室換気通路を設けることでエンジン室換気ファンの稼動条件を緩和し、消費電力の低減を目的とした換気構造をもつコージェネレーション装置を開示する。特許文献３は、内部装置用の収納壁及び外装壁の２重構造にて機器における防音性能を高め、かつ、２重壁の隙間を換気用外気を通す構造とした燃料電池エンクロージャー及び防音パネルを開示する。
【先行技術文献】
【特許文献】
【０００３】
【特許文献１】特開平１１−２００９５１号公報
【特許文献２】特開２００６−９６７８号公報
【特許文献３】特開２００７−１７２９４６号公報
【発明の概要】
【発明が解決しようとする課題】
【０００４】
屋外設置型発電装置は屋外に設置される。従って、天候条件が激しいとき、粉雪等の雪や雨水が排気口からハウジング内へ侵入するおそれがあるが、特許文献１〜３に係る技術では、粉雪等の雪や雨水の侵入防止構造としては、必ずしも充分ではない。この場合、ハウジング内の部材や部品の劣化が水分により促進されるおそれがある。
【０００５】
本発明は上記した実情に鑑みてなされたものであり、エンジンまたは燃料電池で形成された発電源または換気ファンに起因する騒音の吸音特性を確保しつつ、粉雪等の雪や雨水の侵入防止構造として有利な構造をもつ屋外設置型発電装置を提供することを課題とする。
【課題を解決するための手段】
【０００６】
本発明に係る屋外設置型発電装置は、発電室および側壁を有するハウジングと、ハウジングの発電室に設けられたエンジン式発電機または燃料電池で形成された発電源と、ハウジング内に設けられた換気ファンと、ハウジング内に設けられ発電室のガスを排気ガスとしてハウジング外に排出させる排気通路とを具備しており、排気通路は、
発電室に連通すると共に曲走する吸音曲走通路を形成する吸音材料で形成された吸音ダクトと、吸音ダクトの下流に設けられた堰と、堰で形成された堰通路と、堰の下流に設けられ吸音曲走通路の出口開口から堰通路に向けて排気ガスが流れる流れ方向に対して交差する方向に排気ガスを方向変換させる方向変換通路と、方向変換通路の先端側に設けられ且つ外気に露出するようにハウジングの側壁に開口する排気口とを具備し、排気通路のうち発電室に相対的に近い領域は親水性とされ、排気通路のうち排気口に相対的に近い領域は疎水性とされている。
【０００７】
吸音ダクトは、複数回曲走する吸音曲走通路を形成する吸音材料で形成されている。このため換気ファンや屋外設置型発電装置等に起因する騒音の吸音特性が確保される。吸音材料としては、多孔質体、布および繊維集合体のうちの少なくとも１種が例示される。方向変換通路は、吸音曲走通路の出口開口から堰通路に向けて排気ガスが流れる流れ方向に対して交差する方向に排気ガスを方向変換させる。排気口は、方向変換通路の先端側に設けられており、外気に露出するようにハウジングの側壁に開口する。このため、激しい天候条件の影響により、外気の粉雪等の雪や雨水がハウジングの側壁の排気口から方向変換通路に侵入したときであっても、外気の粉雪等の雪や雨水は方向変換しなければ、堰通路に到達できない。このため粉雪等の雪や雨水が発電室に侵入することが抑制される。
【発明の効果】
【０００８】
本発明によれば、発電装置に起因する騒音の吸音特性を確保しつつ、粉雪等の雪や雨水がハウジング内に侵入することを抑制する侵入防止構造として有利な構造をもつ屋外設置型発電装置を提供することができる。
【図面の簡単な説明】
【０００９】
【図１】実施形態１に係り、屋外設置型発電装置のハウジング内の構造を概念的に示す正面図である。
【図２】実施形態１に係り、屋外設置型発電装置の排気通路の構造を示す分解斜視図である。
【図３】実施形態１に係り、屋外設置型発電装置の吸音ダクトを示す分解斜視図である。
【図４】実施形態１に係り、屋外設置型発電装置の排気通路の構造を示す断面図である。
【図５】実施形態１に係り、屋外設置型発電装置の排気通路の構造を拡大して示す断面図である。
【図６】他の実施形態に係り、屋外設置型発電装置の排気通路の構造を拡大して示す斜視図である。
【発明を実施するための形態】
【００１０】
好ましくは、吸音ダクトを形成する吸音材料は、吸音曲走通路に露出する表面において親水性または撥水性を有する。排気通路のうち発電室に相対的に近い領域は親水性とされ、排気通路のうち排気口に相対的に近い領域は疎水性とされている形態を採用できる。また、排気通路のうち発電室に相対的に近い領域は疎水性とされ、排気通路のうち排気口に相対的に近い領域は親水性とされている形態を採用できる。
【００１１】
吸音曲走通路は２次元的または３次元的に曲走されていることが好ましい。曲走形態としては、Ｓの字状、Ｍの字状、Ｗの字状、Ｌの字状等が例示される。また、吸音ダクトを形成する吸音材料は、特に、親水性または撥水性を有していなくても良い。好ましくは、方向変換通路は、排気ガスを重力方向の下方に流すように、ハウジングの側壁の内壁面を用いて形成されている。好ましくは、方向変換通路は、ハウジングの排気口からハウジングの側壁の内壁面に沿って重力方向の上方に向けて延設されている。好ましくは、方向変換通路には、吸音材料で形成された吸音体が設けられており、吸音体は、方向変換通路に露出する表面において親水性または撥水性を有する。
【００１２】
好ましくは、方向変換通路は、ハウジングの側壁と、側壁に対面する方向変換部材とで形成されている。この場合、方向変換部材の重力方向の長さ寸法をＬＡとし、方向変換部材のうち側壁に直交する方向の長さ寸法（方向変換部材のうち重力方向と直交する方向の寸法）をＤＡとするとき、ＬＡ／ＤＡは５〜１００の範囲内に設定されていることが好ましい。この場合、排気口から方向変換通路に侵入した粉雪等の雪、雨水は、方向変換通路を通過しにくくなる。
【００１３】
（実施形態１）
以下、本発明の実施形態を図１〜図５を参照して説明する。この屋外設置型発電装置は屋外に設置されるものであり、エンジンで発電機を駆動させると共に、エンジンからの排熱を利用するコージェネシステムに使用される。この屋外設置型発電装置は、図１に示すように、エンジンルームである発電室１０を有する角箱形状をなすハウジング１と、ハウジング１の発電室１０に設けられた発電源２と、ハウジング１内に設けられた換気ファン３（図３参照）と、ハウジング１内に設けられ発電室１０内の熱およびガス（主として空気）を排気ガスとしてハウジング１外に排出させる排気通路４とを有する。図１に示すように、ハウジング１は、鉛直方向に沿っている外装パネル１２（側壁）と、外装パネル１２に対向するように鉛直方向に沿っている外装パネル１４（側壁）とを有する。外装パネル１４の上部には外気導入口１２０が形成されている。発電源２は、ハウジング１の発電室１０に配置されており、ガス燃料または液体燃料を空気で燃焼させて駆動するエンジン２０と、ハウジング１の発電室１０に配置されエンジン２０の駆動軸で回転駆動される発電機２２とで形成されている。エンジン２０が駆動して発電機２２が駆動すると、電気エネルギが生成される。
【００１４】
図２は、エンジン２０の排ガスを外気に放出させるための排気通路４を分解して示す。図２に示すように、排気通路４は、発電室１０に連通すると共に曲走する吸音曲走通路５０を形成する多孔質性の吸音材料（例えば発泡ウレタン樹脂等の多孔質体）で形成された吸音ダクト５と、吸音ダクト５の下流に設けられた堰６１をもつ堰部材６と、堰部材６の堰６１で形成された堰通路６２と、堰６１の下流に設けられ吸音曲走通路５０の出口開口５０ｐから堰通路６２に向けて排気ガスが流れる流れ方向（矢印Ａ５，Ａ６方向）に対して交差する方向（矢印Ａ７方向，重力方向の下方）に沿って排気ガスを方向変換させる方向変換通路７と、方向変換通路７の先端側（下端側）に設けられ且つ外気に露出するようにハウジング１の外装パネル１２（側壁）に開口する排気口８とを有する。排気口８は、外装パネル１２の下部１２ｄにおいて開口しており、横方向（水平方向）に沿って並行に延びる複数の横長孔８０と、各横長孔８０の上方を覆うカバー部８１とを有する。なお、横長孔８０からハウジング１の内部に雪や雨水が侵入することを抑制するように、カバー部８１は、外方に向かうにつれて下降傾斜する。排気口８の構造はこれに限定されず、縦長孔としても良いし、円形状としても良い。
【００１５】
図３は吸音ダクト５を分解して示す。図３に示すように、吸音ダクト５は、筐体である金属又は樹脂製のダクトカバー５１と、ダクトカバー５１の内壁面に内張される多孔質の吸音材料（例えば発泡ウレタン等の多孔質体）で形成されたダクト側壁５２と、多孔質の吸音材料（例えば発泡ウレタン等の多孔質体）で形成された傾斜面状の整風ガイド５３をもつダクト天井部５４とを有する。ダクト天井部５４は、ダクト側壁５２の上面開口５２ｕに嵌合されて着脱可能に取り付けられる。ダクト天井部５４を取り外せば、ダクト側壁５２の上面開口５２ｕが露出するため、ダクト側壁５２の清掃やメンテナンス等に有利である。整風ガイド５３は矢印Ａ３の水平方向に対して上向きに傾斜する傾斜面を持っており、ガスの流れを円滑にする役割を有する。図３に示すように、ダクトカバー５１は、カバー壁５１ａ〜５１ｄ，底壁５１ｅをもつ。ダクトカバー５１は、換気ファン３に対面するように下方に開口するファン開口５１ｉと、横側方に開口する出口開口５１ｐとをもつ。ダクト側壁５２は多孔質体である吸音材料で形成されている。ダクト側壁５２は、複数の方向に曲走された吸音曲走通路５０と、吸音曲走通路５０に向けて突出する第１堰壁部５５と、第１堰壁部５５に対面しつつ吸音曲走通路５０に向けて突出する第２堰壁部５６と、堰壁部５５，５６に対面しつつ吸音曲走通路５０に向けて突出する第３堰壁部５７とを有する。吸音曲走通路５０は、平面視でＳの字形状に曲走するＳ字通路５０ｓと、Ｓ字通路５０ｓの入口側において換気ファン３に向けて下方に開口するようにダクトカバー５１の入口開口５０ｉに対面する下向きの入口開口５０ｉと、Ｓ字通路５０ｓの出口側において側方に開口するようにダクトカバー５１の出口開口５１ｐに対面する横向きの出口開口５０ｐとを有する。
【００１６】
従って、換気ファン３が回転駆動すると、熱気を有する発電室１０のガスは、矢印Ａ１方向，矢印Ａ２方向に沿って入口開口５０ｉ，５１ｉを上向きに流れ、傾斜面を持つ整風ガイドにより流路損失を最小限度に抑え、Ｓ字通路５０ｓ内を矢印Ａ３方向，矢印Ａ４方向，矢印Ａ５方向に沿って曲走しつつ流れ、出口開口５０ｐから排出される。このようにダクト側壁５２内において排気ガスは複数回曲走されつつ三次元的に流れるため、ダクト側壁５２のコンパクト化を図りつつもダクト側壁５２における流れ距離を長く確保でき、吸音（減音も含む）に有利である。
【００１７】
図３に示すように、第１堰壁部５５、第２堰壁部５６および第３堰壁部５７は、吸音曲走通路５０を形成しつつ、吸音曲走通路５０において互いに対面するように異なる箇所に形成されている。従って、排気通路４を流れる排気ガスを複数回曲走でき、吸音ダクト５のコンパクト化を図りつつも、排気ガスの流れ距離を確保でき、吸音（減音を含む）に貢献できる。なお、図２から理解できるように、第１堰壁部５５、第２堰壁部５６および第３堰壁部５７は、厚肉化されつつ、高さ方向（重力方向，矢印Ｇ方向）に沿って延設されており、この結果、吸音曲走通路５０を流れる排気ガスの向きを強制的に変える作用と、多孔質性をもつダクト側壁５２を補強する作用と吸音性を高める作用を併有する。
【００１８】
図４および図５に示すように、方向変換通路７は、ハウジング１の側壁である外装パネル１２の内壁面１２ｉと、薄型の枠形状の方向変換部材７０とで形成されている。図２に示すように、方向変換部材７０は、外向きの鍔部７１ａを有する縦方向に延びる縦長の四角形状をなす枠体７１と、枠体７１を覆うように縦方向（重力方向，矢印Ｇ方向）に延びる縦長の縦長壁部７２と、縦長壁部７２の上側に形成された開口窓７３とを有する。開口窓７３は堰通路６２に対面する。ここで、図４および図５に示すように、方向変換部材７０の縦方向（重力方向）の長さをＬＡとし、方向変換部材７０のうち外装パネル１２（側壁）の高さ方向に直交する方向の長さ（方向変換部材７０の幅寸法）をＤＡとするとき、ＬＡはＤＡよりも遙かには長く設定されている。ＤＡは、方向変換部材７０のうち重力方向と直交する方向の寸法に相当する。方向変換部材７０は高さ方向（重力方向）に沿って長く延びていることが好ましい。ＬＡ／ＤＡとしては５〜１００の範囲内、殊に５〜５０の範囲内、６〜２０の範囲内に設定されていることが好ましい。このように方向変換部材７０で形成される方向変換通路７は、縦型の薄型通路とされていることが好ましい。排気口８から方向変換通路７に侵入した粉雪等の雪、雨水は、方向変換通路７を上向きに通過しにくくなるためである。
【００１９】
ここで、排気口８から方向変換通路７に侵入した粉雪等の雪、雨水は、外装パネル１２のうち最下段の横長孔８０から外気に排出できるようになっている。ここで、方向変換部材７０が縦長である理由は、外気の天候条件が激しい吹雪状態であっても、排気口８から侵入した外気の粉雪等の雪や雨水がハウジング１内の開口窓７３および堰通路６２に、ひいては吸音曲走通路５０、更には、エンジンルームである発電室１０に収容されているエンジン２０および発電機２２側に到達しにくくするようにすべく、流路距離を確保するためである。図４および図５に示すように、排気口８の下端８ｄから堰通路６２の下端（堰６１の上端の頂部６１ｍ）までの高さ寸法は、Ｈ１（ＬＡ＞Ｈ１＞ＤＡ）とされている。図４に示すように、方向変換部材７０の開口窓７３は堰通路６２に対面する。なお、Ｈ１／ＤＡは基本的にはＬＡ／ＤＡと同様の値にできる。
【００２０】
図２から理解できるように、堰部材６は、エンジン２０から排出された排気ガスが流れる方向（矢印Ａ５，Ａ６方向）において吸音ダクト５の下流に位置し、且つ、方向変換部材７０の上流に位置して設けられている。堰部材６は、四角形状の堰枠６０と、堰枠６０の下辺部６０ｄから頂部６１ｍに向けて上向きに突出された堰６１と、堰６１の上方に位置すると共に横側方に連通するように開口する堰通路６２とをもつ。堰６１は、多孔質性をもつ吸音材料（例えば発泡樹脂または発泡金属等の発泡体、あるいは、布等の繊維集積体に代表される多孔質体）で形成されていることが好ましい。堰部材６は、吸音ダクト５の出口開口５０ｐ側に設けられており、出口開口５０ｐに対面する。
【００２１】
図４に示すように、方向変換通路７には、吸音材料（例えば発泡樹脂または発泡金属等の発泡体に代表される多孔質体）で形成された吸音体９が設けられている。吸音材料が多孔質体で形成されている場合には、多孔質体の気孔は連続気孔でも良いし独立気孔でも良い。多孔質体の表面が多孔性であれば、吸音性を高め得る。図４および図５に示すように、吸音体９は、方向変換通路７に露出するように、外装パネル１２のうち外気に背向する内壁面１２ｉに内張された第１吸音体９ｆと、方向変換部材７０の縦長壁部７２の内壁面７２ｉに内張された第２吸音体９ｓと、第１吸音体９ｆと第２吸音体９ｓとの間に設けられた第３吸音体９ｔとを有する。このように方向変換部材７０の内壁面７０ｉは、開口窓７３を除いて、吸音材料で被覆されている。ここで図４および図５に示すように、方向変換通路７は、ハウジング１の排気口８と堰通路６２とを高さ方向（重力方向，矢印Ｇ方向）に沿って縦長に連通させている。よって方向変換通路７は、ハウジング１の外装パネル１２（側壁）の内壁面１２ｉと方向変換部材７０の縦長壁部７２の内壁面７２ｉとに沿って、重力方向（矢印Ｇ方向）の上方に堰通路６２に向けて延設されている。
【００２２】
さて使用時には、燃料および燃焼用空気がエンジン２０の燃焼室に供給され、エンジン２０が駆動する。エンジン２０の駆動により発電機２２が駆動して発電が行われる。エンジン２０から放出される熱気をもつ発電室１０内の空気は、排気ガスとして、換気ファン３の作動により排気通路４を流れる。つまり、排気ガスは、入口開口５０ｉ、吸音曲走通路５０、出口開口５０ｐ、堰通路６２、開口窓７３を流れ、更に、方向変換通路７を重力方向（矢印Ｇ方向）の下方に向けて流れ、ハウジング１の外装パネル１２の排気口８から外気に放出される。この場合、矢印Ａ１方向、矢印Ａ２方向、矢印Ａ３方向、矢印Ａ４方向、矢印Ａ５方向、矢印Ａ６方向、矢印Ａ７方向、矢印Ａ８方向の順に流れる。堰通路６２の出口断面積（最小流路横断面積）は吸音曲走通路５０の最小流路横断面積と略同一とされていることが好ましい。堰通路６２は方向変換通路７を介して外部に通じているため、流路抵抗を抑制しつつ音の漏れを抑制するためである。但しこれに限定されるものではなく、排気ガスが流れる流れ方向の上流から下流に向けて流路横断面積を適宜変化させても良い。
【００２３】
本実施形態によれば、前述したように、吸音体９または吸音材料が排気通路４には設けられている。更に、吸音材料で形成された吸音ダクト５が設けられている。更に堰６１は吸音材料で形成されている。このため、エンジン２０、発電機２２の作動音、換気ファン３の作動音を低減させるのに貢献できる。吸音曲走通路５０は平面視でＳの字形状に曲走されているため、コンパクト化を図りつつ、音の伝搬距離が確保され、上記した作動音を低減させるのに貢献できる。
【００２４】
更に本実施形態によれば、図４から理解できるように、堰６１の下流に設けられた方向変換通路７は、吸音曲走通路５０の出口開口５０ｐから堰通路６２に向けて排気ガスが流れる流れ方向（矢印Ａ５，Ａ６方向）に対して交差する方向に沿って、重力方向（矢印Ｇ方向）の下方に向けて排気ガスを方向変換させる。更に、方向変換通路７の先端である下端側には排気口８が設けられている。ここで、天候条件が激しいときにおける使用時であっても、エンジン２０が駆動しているときには、エンジン２０からの排気ガスが排気通路４を流れ、ハウジング１の排気口８から放出されているため、外気に存在する粉雪等の雪や雨水が排気口８から排気通路４に侵入することが抑制される。
【００２５】
しかしながら発電運転されておらず、エンジン２０の駆動が停止している場合には、エンジン２０からの排気ガスがハウジング１の排気口８から外気に放出されない。このため、外気天候条件が激しい吹雪や豪雨等のときには、激しい粉雪等の雪や雨水が排気口８からハウジング１内の方向変換通路７に侵入するおそれがある。エンジン２０のアイドリング運転時においても、外気天候条件が激しい吹雪や豪雨等のときには、場合によっては、粉雪等の雪や雨水が排気口８からハウジング１内の方向変換通路７に侵入するおそれがある。このようなときであっても本実施形態によれば、排気口８から方向変換通路７に侵入した粉雪等の雪や雨水は、方向変換通路７において重力に抗して上方に（矢印Ａ７方向と反対方向に）移動しない限り、堰通路６２にまで侵入できない。これにより吸音曲走通路５０ひいては発電室１０のエンジン２０側への粉雪等の雪や雨水の侵入が抑制される。更に前述したように方向変換通路７は薄型通路とされているため、粉雪等の雪や雨水は、排気口８から方向変換通路７に侵入したとしても、方向変換通路７おいて重力に抗して上方に移動しにくい。
【００２６】
更に図４および図５に示すように、堰６１は、方向変換通路７側に設けられた立設壁面６１ａと、吸音曲走通路５０側に設けられた傾斜壁面６１ｃとを備えている。立設壁面６１ａは、堰枠６０の下辺部６０ｄから重力方向（矢印Ｇ方向）に沿って上方に向けて、つまり鉛直方向の上向きに頂部６１ｍまで突設されている。図４に示すように、傾斜壁面６１ｃは、排気ガスの流れが進行する方向（矢印Ａ５，Ａ６方向）に沿って頂部６１ｍまで昇り坂となるような傾斜とされている。このため、吸音曲走通路５０側から排気口８へ流れる排気ガスの排出性が確保され、エンジン２０から排出される排気ガスの換気性能が確保される。しかしながら、図５に示すように、堰６１を構成する立設壁面６１ａは、堰枠６０の下辺部６０ｄから重力方向の上方に突設されており、鉛直方向に沿っているため、排気口８から排気通路４に侵入する粉雪等の雪や雨水、更には塵埃等の微小な侵入物に対して高い障害特性をもつ。このため、排気口８から吸音曲走通路５０側へ向かう粉雪等の雪や雨水や塵埃等の侵入が効率よく抑制される。この場合、屋外設置型発電装置の耐久性の向上および長寿命化に貢献できる。なお立設壁面６１ａとしては、鉛直方向に限らず、図５における部位Ｗ１として示すように、傾斜壁面６１ｃと同じ向きに傾斜していても良い。
【００２７】
（実施形態２）
本実施形態は実施形態１と基本的には同様の構成、同様の作用効果を有するため、図１〜図５を準用する。以下、相違する部分を中心として説明する。排気通路４に設けられているダクト側壁５２，吸音体９、堰６１を構成する吸音材料は、水分を弾く撥水性を有する撥水性構造とされている。この場合、ダクト側壁５２，吸音体９、堰６１を構成する吸音材料自体が撥水性を有することにしても良い。あるいは、ダクト側壁５２，吸音体９、堰６１を構成する吸音材料の各表面に撥水皮膜が積層されている構造でも良い。一例として、フッ素系材料をコーティングした撥水皮膜を、ダクト側壁５２，吸音体９、堰６１のうちの表面に形成できる。このようにダクト側壁５２，吸音体９、堰６１を構成する吸音材料は、水を弾く撥水性を有する。撥水性は、水による濡れにくさであり、物体と水滴との接触角が大きいことをいう。一般的には、固体表面における水滴の接触角θが撥水性の指標になっており、一般的には接触角θが90°以上の場合は撥水性（疎水性）とされ、接触角が110°から150°であると高撥水性とされ、接触角が150°以上だと超撥水性とされる。本明細書における撥水性は高撥水性および超撥水性を含む。
【００２８】
ところで、激しい天候条件のため、万一、屋外に対面する外装パネル１２の排気口８から排気通路４に粉雪等の雪、雨水が侵入したとしても、排気通路４に侵入した粉雪等の雪や雨水は、水分として、ダクト側壁５２，吸音体９、堰６１を構成する吸音材料に吸収されず、排気通路４に水滴として滞留する可能性がある。撥水面における水滴は弾かれて転がり易く、移動し易い性質をもつ。このため、排気通路４の撥水面に水分が水滴として滞留した状態で、屋外設置型発電装置の使用時において、ハウジング１の発電室１０から、熱をもつ排気ガスが排気通路４から排気口８へ排出されると、排気通路４に滞留する水分（水滴等）を排気通路４を介して外装パネル１２の排気口８から外気に強制的に且つ簡単に放出させることができる。殊に、上記したように撥水性とされているため 、排気ガスの流れに沿って水滴を排気通路４に沿って移動させて排気口８から外気に放出させ易い。従って、ハウジング１内に搭載されている部材や機器が水分に起因する腐食等で損傷するおそれが軽減される。
【００２９】
（実施形態３）
本実施形態は実施形態１と基本的には同様の構成、同様の作用効果を有するため、図１〜図５を準用する。以下、相違する部分を中心として説明する。吸音ダクト５のダクト側壁５２を形成する吸音材料のうち少なくとも表面は、親水性構造とされており、吸音曲走通路５０に露出する表面において親水性を有する。親水性とは、表面における水の接触角θが小さく、水がなじみ易いことをいう。一般的には、親水性は、水の接触角θが90°未満をいう。本実施形態によれば、排気通路４に設けられているダクト側壁５２，吸音体９、吸音材料は、親水性を有するため、これらの表面には水滴が生成され難い。
【００３０】
すなわち本実施形態によれば、排気通路４に設けられているダクト側壁５２，吸音体９、堰６１を形成する吸音材料は、親水性の多孔質体で形成されている。これらにおける吸水性を高めるためには、吸水可能なスポンジ状であることが好ましく、独立気孔よりも連続気孔の割合が高いことが好ましい。吸音材料のうちの少なくとも表面は多孔質であることが好ましい。
【００３１】
激しい天候条件の関係で、万一、外装パネル１２の排気口８から排気通路４に粉雪等の雪、雨水が侵入したとしても、排気通路４に侵入した粉雪等や雨水を、水分として、ダクト側壁５２，吸音体９、堰６１を構成する吸水可能な多質体で形成された吸音材料に吸収することができる。この場合、発電室１０への水分の過剰侵入が抑制される。このため、屋外設置型発電装置の使用時には、粉雪等の雪、雨水を、水分として、ダクト側壁５２，吸音体９、堰６１を構成する吸音材料に吸収した状態で、ハウジング１の発電室１０から、熱をもつ排気ガスが排気通路４を通過し、外装パネル１２の排気口８から外気に放出される。このとき、ダクト側壁５２，吸音体９、堰６１を構成する吸音材料に吸収した水分を、排気通路４に流れる排気ガスの熱により良好に乾燥させることができる。乾燥させた水分を排気ガスと共に排気口８から外気に放出させる。このため水分が発電室１０のエンジン２０側に過剰に侵入することが抑制される。更に、ハウジング１に搭載されている部材や機器の腐食等による損傷を抑制することができる。加えて、吸水された水分の乾燥は気化潜熱（吸熱）を伴うため、排気通路４や発電室１０付近の冷却性を高め、排気通路４および発電室１０の過熱を抑制できる効果を期待できる。
【００３２】
（実施形態４）
本実施形態は実施形態１と基本的には同様の構成、同様の作用効果を有するため、図１〜図５を準用する。以下、相違する部分を中心として説明する。排気通路４のうち発電室１０に相対的に近い領域（排気通路４のうち下流領域）は、親水性とされている。排気通路４のうち排気口８に相対的に近い領域（排気通路４のうち上流領域）は、疎水性とされている。排気通路４のうち発電室１０に相対的に近い領域は、排気通路４の全流路の長さを１００と相対表示するとき、発電室１０側から０から５０の長さの領域、０から４０の長さの領域が例示される。但し、これに限定されるものではない。
【００３３】
本実施形態においては、吸音体９および堰６１を構成する吸音材料自体（排気通路４のうち排気口８に相対的に近い領域）が撥水性を有することにしても良い。あるいは、吸音体９および堰６１を構成する吸音材料の各表面に撥水皮膜が積層されていることにしても良い。但し、ダクト側壁５２（排気通路４のうち発電室１０に相対的に近い領域）の吸音材料については、親水性とし、吸水性をもたせるような多孔質体で形成しても良い。ダクト側壁５２は方向変換通路７および堰通路６２よりも発電室１０に近い側に位置する。このため、水滴などの水分が発電室１０に落下することを抑制すべく、発電室１０に向かう水分をダクト側壁５２によって吸水させた方が好ましいと考えられる。また、発電室１０から排気口８に向かう排気ガスの温度については、発電室１０に相対的に近い位置に存在するダクト側壁５２の領域では相対的に高いため、高い乾燥力を有するためである。更に、水分の乾燥は気化潜熱（吸熱）を伴うため、発電室１０付近の冷却性を高め、発電室１０の過熱を抑制できる効果を期待できる。
【００３４】
（実施形態５）
図６は実施形態５を示す。本実施形態は実施形態１と基本的には同様の構成、同様の作用効果を有する。以下、相違する部分を中心として説明する。ハウジング１の発電室１０には、発電源として燃料電池２８が配置されている。燃料電池２８は、固体高分子型燃料電池でも良いし、酸化物型燃料電池でも良いし、リン塩型燃料電池でも良い。燃料電池２８は低温型でも良いし、中温型でも良いし、高温型でも良い。燃料電池２８のアノードにアノード流体供給通路２８ｆからアノード流体（水素ガス、水素含有ガス等）が供給され、燃料電池２８のカソードにカソード流体供給通路２８ｃからカソード流体（酸素ガス、酸素含有ガス）が供給されると、燃料電池２８は発電運転する。発電運転時に換気ファン３が駆動する。このため、ハウジング１の発電室１０における熱および空気は、排気ガスとして、発電室１０から吸音ダクト５の吸音曲走通路５０に放出される。更に排気ガスは堰通路６２、方向変換通路７を流れ、排気口８から外気に放出される。本実施形態によれば、排気通路４に設けられているダクト側壁５２，吸音体９、堰６１を形成する吸音材料としては、前述したように、親水性を有する構造でも良いし、吸水性を有する構造でも良いし、撥水性を有する構造でも良い。また本実施形態においても、吸音体９および堰６１を構成する吸音材料自体の少なくとも表面が撥水性を有することにしても良いし、あるいは、吸音体９および堰６１を構成する吸音材料の各表面に撥水皮膜が積層されていることにしてもよい。但し、発電室１０に近いダクト側壁５２の吸音材料のうちの少なくとも表面については、親水性とし、これらに吸水性をもたせるような多孔質体で形成しても良い。
【００３５】
（その他）
本発明は上記し且つ図面に示した実施形態のみに限定されるものではなく、要旨を逸脱しない範囲内で適宜変更して実施できる。堰６１は多孔質の吸音材料で形成されているが、これに限らず、非孔質の金属、セラミックス、硬質樹脂で形成されていても良い。堰６１は直立状でも良い。方向変換通路７には吸音体９ｆ，９ｓ，９ｔが設けられているが、場合によっては、方向変換通路７における吸音体９ｆ，９ｓ，９ｔは廃止されていても良い。吸音曲走通路はＳの字状を含むように３次元的に曲走されているが、これに限らず、Ｍの字状、Ｎの字状、Ｗの字状、Ｖの字状、Ｌの字状、Ｚの字状等としても良い。多孔質体は吸音性を有するものの吸水性を有しないものでも良い。  
【符号の説明】
【００３６】
１はハウジング、１２は外装パネル（側壁）、１０は発電室、２は発電源、２０はエンジン、２２は発電機、２８は燃料電池、３は換気ファン、４は排気通路、５は吸音ダクト、５０は吸音曲走通路、５１はダクトカバー、５２はダクト側壁、５３は整風ガイド、５４はダクト天井部、５５は第１堰壁部、５６は第２堰壁部、６は堰部材、６０は堰枠、６１は堰、６１ａは立設壁面、６１ｃは傾斜壁面、６２は堰通路、７は方向変換通路、７０は方向変換部材、７２は縦長壁部、７３は開口窓、８は排気口、９は吸音体、９ｆは第１吸音体、９ｓは第２吸音体を示す。
【図１】
0005637360.tif 000002
【図２】
0005637360.tif 000003
【図３】
0005637360.tif 000004
【図４】
0005637360.tif 000005
【図５】
0005637360.tif 000006
【図６】
0005637360.tif 000007